(57)【要約】【課題】  色順次方式投射型映像表示装置を複数台用いて、投射画像を重ね合わせて、高輝度な映像を表示した場合に、カラーブレイクアップ現象を低減する。【解決手段】  基本色の光束をＲＧＢ表示サイクル期間内で規定された所定の色順次で時分割して発生させる時分割色光発生手段と、前記時分割色光発生手段からの色束を前記色光に対応した色映像信号により光強度変調して光学像を形成する1枚の映像表示素子と、前記光学像の投射画像を拡大して投影する投射手段とを備えたカラー表示を行う色順次方式投射型映像表示装置において、前記所定の色順次を可変する色順次制御手段を備える構成とする。【選択図】  図１
2006114948.tif 000002
【特許請求の範囲】
【請求項１】
所定の期間内で、赤色光と緑色光と青色光とを所定の順序で時分割して逐次循環的に発生させる時分割色光発生手段と、
前記時分割色光発生手段からの色光を、該色光に対応した色映像信号により光強度変調して光学像を形成する映像表示素子と、
前記光学像を拡大して投影する投射手段とを備えたカラー表示を行う色順次方式投射型映像表示装置において、
前記時分割色光発生手段は、前記所定の順序の変更が可能なように構成したことを特徴とする色順次方式投射型映像表示装置。
【請求項２】
所定の期間内で、赤色光と緑色光と青色光とを所定の順序で時分割して逐次循環的に発生させる時分割色光発生手段と、前記時分割色光発生手段からの色光を、該色光に対応した色映像信号により光強度変調して光学像を形成する映像表示素子と、前記光学像を拡大して投影する投射手段とを各々に備えた複数の色順次方式投射型映像表示装置であって、
前記複数の色順次方式投射型映像表示装置のうちの少なくとも２台の色順次方式投射型映像表示装置からの光学像の色順序をそれぞれ異なるように設定する色順次指示手段とを有し、
前記複数の色順次方式投射型映像表示装置からの光学像を同一スクリーンに重ね合わせて表示するように構成したことを特徴とする色順次方式投射型映像表示装置。
【請求項３】
前記複数の色順次方式投射型映像表示装置は３台であり、
前記色順次指示手段により、前記３台の色順次方式投射型映像表示装置各々からの光学像の色順序が、それぞれ異なるように設定されることを特徴とする請求項２に記載の色順次方式投射型映像表示装置。
【請求項４】
前記時分割色光発生手段により発生する赤色光と緑色光と青色光の発生期間が各々異なるように構成されたことを特徴とする請求項１乃至請求項３の何れか１項に記載の色順次方式投射型映像表示装置。
【発明の詳細な説明】
【技術分野】
【０００１】
本発明は、色順次方式の投射型映像表示装置に関するものである。
【背景技術】
【０００２】
近年、例えば液晶パネル等の表示素子（「ライトバルブ」ともいう）を用いて、光源からの光の透過光量または反射光量を映像信号に応じて変え（通常、この動作は「光強度変調」と呼ばれている）、光学像（画像）を形成し、表示素子上に形成された光学像（画像）を投射レンズで拡大して、例えば、スクリーンに表示する投射型映像表示装置が普及してきている。
【０００３】
投射型映像表示装置の表示方式には、大別して、２種類がある。一つは、光源からの白色光をＲ，Ｇ，Ｂ光の３色光に色分離手段で分離し、各色光をそれぞれに対応した３つの表示素子で光強度変調して、各色光の光学像を形成し、色合成手段で合成してカラー画像を得る表示方式（以下、「３板方式」と称する）であり、他方は、一つのフィールドを複数のサブフィールドに分け、サブフィールド毎に異なる色光の光学像を１つの表示素子で形成し、それら異なる色光の光学像を、人間の目に対する時間軸方向の積分作用を利用して混色させることによって、多色表示のカラー画像を得るフィールドシーケンシャル方式（以下、「色順次方式」と称する）である。
【０００４】
また、色順次方式投射型映像表示装置には、サブフィールド毎に異なる色光を発生させる方法として、周方向にＲ，Ｇ，Ｂの各フィルタ領域が設けられた円盤状のカラーフィルタを回転させる方式と、Ｒ光を出す光源とＧ光を出す光源とＢ光を出す３種類の光源を用いて、各光源の発光タイミングを制御する方式とがある。
【０００５】
色順次方式投射型映像表示装置に関しては、３種類の光源を用いたものとして、例えば特許文献１で開示されており、回転カラーフィルタを用いたものとして、例えば特許文献２で開示されている。色順次方式投射型映像表示装置は、通常、表示素子が１つであるため、構成が簡単であり、３板方式投射型映像表示装置に比べて、コストの点で有利である。
【０００６】
しかし、上記色順次方式投射型映像表示装置では、光源からの光束は、各色光に応じて、表示素子上の一つの画素を時分割でつまり時間的にずれて照射するので、３板方式投射型映像表示装置に比べて光源利用効率が悪い。従って、狭い部屋などで４０〜７０インチ程度の小型スクリーンを用いて画像表示する分にはよいが、広い部屋などで１００インチ以上の大型スクリーンを使用して画像表示し、大勢の人に見せる場合には、明るさが充分とはいえなかった。
【０００７】
そこで、この問題を解決するため、複数の投射型映像表示装置を用い、それぞれの投射型映像表示装置から投射される画像を同一スクリーン上で重ね合わせて、高輝度な映像を表示する方法が提案されている。例えば、特許文献３や特許文献４などで開示されている。この方法を用いると、投射型映像表示装置の台数を増やした分、高輝度な画像を得ることができる。
【０００８】
【特許文献１】特開２００３−２９７２０号公報
【特許文献２】特開２００１−１８８５１４号公報
【特許文献３】特開平６−１６１４０４号公報
【特許文献４】特開２００２−１５２６３３号公報
【発明の開示】
【発明が解決しようとする課題】
【０００９】
一般に、フルカラー表示を行う色順次方式の投射型映像表示装置には、カラーブレイクアップ（色割れまたは色分離）現象と呼ばれる問題がある。カラーブレイクアップ現象とは、表示されるＲ，Ｇ，Ｂ３色の各画像に時間差があるため、視線移動した時や、高速で動く映像の場合に、本来の画像とは異なる表示色が認識される現象である。
【００１０】
そこで、通常、色順次方式の投射型映像表示装置においては、カラーブレイクアップ現象が目立たないようにするために、例えば特許文献１で開示されているように、１枚のカラー画像を表示するＲ→Ｇ→Ｂの表示期間を表示単位（以下、「ＲＧＢ表示サイクル」と称する）として、入力される映像信号のフィールド周期にＲＧＢ表示サイクルを同期させながら、１フィールド期間に数回のＲＧＢ表示サイクルが含まれるように高速で色を切替えており、その表示サイクルは１台のみの場合に対して最適なように設定されている。その一例を図１４に示す。図１４では、１フィールド期間（１／６０Ｈｚ）に表示期間が１／１２０ＨｚのＲＧＢ表示サイクルが２つ含まれている。
【００１１】
したがって、１台のみで、狭い部屋などで使用する場合には、投射距離も短く、画像の拡大率も低ので、特に問題にはならない。
【００１２】
なお、特許文献２では、その図２で記述されているように、光源と、回転カラーフィルタと、表示素子からなる色順次表示部が３系統有り、各色順次表示部の間では、回転カラーフィルタのＲ，Ｇ，Ｂの配列順序がそれぞれずれており、例えば、あるサブフィールド期間では、第１の色順次表示部でＲ光の光学像が、第２の色順次表示部でＧ光の光学像が、第３の色順次表示部でＢ光の光学像がそれぞれ形成され、これらの光学像が１つに重ね合わされてカラー画像が表示される仕組みとなっている。従って、この投射型映像表示装置では、Ｒ光の光学像と、Ｇ光の光学像と、Ｂ光の光学像とが同時照射されるため、カラーブレイクアックを低減できる。しかし、色順次表示部が３系統もあり、コストが大幅にアップするという別の新たな課題が生じる。
【００１３】
ところで、上記特許文献３の方法のように、複数の色順次方式投射型映像表示装置から投射される画像を重ね合わせ、広い部屋などで大型スクリーンを使用して表示し、大勢の人に見せる場合、投射距離が長くなり、投射画像のサイズが大きくなる。投射画像のサイズが大きくなると、投射画素サイズも大きくなり、カラーブレイクアックも目立ち易くなる恐れがある。
【００１４】
また、それぞれの投射型映像表示装置に入力する映像信号は同一である為、この映像信号のフィールド周期に同期している色の切替えタイミングも同一となり、複数の投射型映像表示装置は全て同じ色を投射し、同じタイミングで色が切替わる。このため、１色の表示時間は変化しないが、各色の輝度が高くなる為、カラーブレイクアップ現象が目立ちやすくなる恐れもある。
【００１５】
しかし、上記した特許文献３は、投射画像の歪低減に関する技術についてであり、また、特許文献４は画質調整や表示設定を容易に行えるようにする技術についてである。
【００１６】
このように、従来技術では、複数の色順次方式投射型映像表示装置を用いて、同一スクリーン上に投射画像を重ね合わせて表示する際のカラーブレイクアップ現象の低減技術については、言及されていない。
【００１７】
本発明は上記した実情に鑑みてなされたもので、その目的は、色順次方式の投射型映像表示装置において、投射型映像表示装置を複数台用いて、投射画像を重ね合わせて、高輝度な映像を表示した場合に、カラーブレイクアップ現象を低減することができる色順次方式投射型映像表示装置を提供することにある。
【課題を解決するための手段】
【００１８】
本発明は、上記目的を達成するために、基本色の光束をＲＧＢ表示サイクル期間内で規定された所定の色順次で時分割して発生させる時分割色光発生手段と、前記時分割色光発生手段からの色束を前記色光に対応した色映像信号により光強度変調して光学像を形成する1枚の映像表示素子と、前記光学像の投射画像を拡大して投影する投射手段とを備えたカラー表示を行う色順次方式投射型映像表示装置において、
前記所定の色順次を可変する色順次制御手段を備える構成とする。
【００１９】
そして、前記色順次方式投射型映像表示装置を複数台組み合わせて、同一スクリーンに各色順次方式投射型映像表示装置からの投射画像を重ね合わせる場合に、少なくとも２台または３台の前記色順次方式投射型映像表示装置を単位として、前記単位をなす各色順次方式投射型映像表示装置から投影される投射画像の色順次をそれぞれ異なるように設定する色順次指示手段を備え、前記色順次指示手段は前記色順次制御手段に色順次変更を指示し、前記単位をなす各色順次方式投射型映像表示装置の色順次をそれぞれ変えるようにする。
【００２０】
このように構成することにより、例えば、３台の前記色順次方式投射型映像表示装置を組み合わせて用いれば、各色順次方式投射型映像表示装置の色順次をそれぞれ異なるように、即ち、第１の色順次方式投射型映像表示装置の色順次をＲ→Ｇ→Ｂ、第２の色順次方式投射型映像表示装置の色順次を前記第１の色順次方式投射型映像表示装置の色順次を順方向（または逆方向）に１ステップシフトさせたＢ→Ｒ→Ｇ（またはＧ→Ｂ→Ｒ）、第３の色順次方式投射型映像表示装置の色順次を前記第１の色順次方式投射型映像表示装置の色順次を順方向（または逆方向）に２ステップシフトさせたＧ→Ｂ→Ｒ（またはＢ→Ｒ→Ｇ）とすることができるので、カラーブレイクアップ現象を低減することができる。
【発明の効果】
【００２１】
本発明によれば、色順次方式の投射型映像表示装置を複数用いて、投射画像を同一スクリーンに重ね合わせて高輝度な画像を表示する場合において、各色順次方式投射型映像表示装置の色順次を異ならせて、投射画像を常に２色以上で投影するため、カラーブレイクアップ現象を低減することができる。
【発明を実施するための最良の形態】
【００２２】
以下、本発明の実施の形態について、図を用いて詳細に説明する。なお、各図において、同一機能を有する構成要素には同一符号を付して示し、一度述べた要素については、煩雑さを避けるために、繰り返した説明を省略する。また、表示素子として液晶パネルを用いるものとするが、特に、これに限定されるものではなく、例えば、微小ミラーであってもよい。
【実施例１】
【００２３】
図１は本発明による第１の実施例を示す色順次方式投射型映像表示装置の概略構成図である。図１において、１は映像信号源であり、パソコンやチューナー、ＶＴＲなどの映像信号を出力するものである。１０は本発明による色順次方式投射型映像表示装置、２はスクリーンである。映像信号入力端子６１から入力された映像信号源１の映像信号は、色順次方式の投射型映像表示装置１０によって、スクリーン２上に投射画像２２が拡大されて投射され、画像３が形成される。
【００２４】
次に、色順次方式の投射型映像表示装置１０の構成について述べる。投射型映像表示装置１０において、１１は入力された映像信号から同期信号とＲＧＢ信号を分離するＲＧＢ/同期分離回路、１２はＲＧＢ/同期分離回路１１で得られた垂直同期信号Ｖと水平同期信号から所定の各種のタイミング信号（例えばピクセルクロックＰｃｌｋ，基準クロックＰｒ，Ｐｒｆ，サブクロックＰｒｄ，Ｐｒｄｆ等）を生成するタイミング信号生成回路で、基準クロックＰｒは垂直同期信号Ｖに同期した、例えばフィールド周波数６０Ｈｚの所定倍周波数（例えば２倍の１２０Ｈｚ）のクロック、基準クロックＰｒｆは垂直同期信号Ｖに同期した、例えばフィールド周波数６０Ｈｚのクロック、サブクロックＰｒｄは基準クロックＰｒに同期した基準クロックＰｒの３倍の周波数を持つクロック、サブクロックＰｒｄｆは基準クロックＰｒｆに同期した基準クロックＰｒｆの３倍の周波数を持つクロックである。１４はＲＧＢ/同期分離回路１１で得られたＲＧＢ信号に対して所定の信号処理を行う映像信号処理回路で、表示素子（液晶パネル）で表示可能なアスペクト比の画素数に変換するとともに、カラーブレイクアップ現象を低減するために所定の走査速度（周波数）に変換（例えば２倍速変換）する画像メモリ（図示せず）を含む走査速度変換回路１３と、ホワイトバランス，ブライトネス，コントラストなどを補正する画像補正処理回路１５とからなる。走査速度変換回路１３はＲ，Ｇ，Ｂ信号それぞれに対応した走査速度変換回路１３Ｒ，１３Ｇ，１３Ｂからなり、走査速度（周波数）が変換された各色の映像信号（画像データ）は後述するマイクロプロセッサー１８で制御された所定の色順次（例えばＲ→Ｇ→Ｂの順次）で時分割されて送出される。１６は後述する光学ユニット３０の表示素子である液晶パネル３６を、映像信号処理回路１４から時分割で送出される走査速度が変換された各色の映像信号に基づいて駆動する液晶パネル駆動回路、３０は液晶パネル駆動回路１６からの駆動信号に基づいて、液晶パネル３６で、光源３１からの透過光量または反射光量を変える光強度変調を行い、光学像を形成し、光学像を投射レンズ３８で拡大してスクリーン２に投射する光学ユニットである。光学ユニット３０の光源３１は、図２のように、光の３原色である３つの基本色のうちの異なる基本色をそれぞれ発光する赤色発光ダイオード（以下、発光ダイオードを「ＬＥＤ」と省略する）３１Ｒと緑色ＬＥＤ３１Ｇと青色ＬＥＤ３１Ｂを、互い違いに２次元状に配列した面発光の光源である。１７は光源３１を構成する各赤色ＬＥＤ３１Ｒ，緑色ＬＥＤ３１Ｇ，青色ＬＥＤ３１Ｂを後述するマイクロプロセッサー１８で指定される所定の色順次で時分割して駆動するＬＥＤ光源駆動回路、１８は操作キー１９または図示しないリモートコントロールユニットによるユーザ操作に基づいて、内蔵するプログラム（図示せず）に従って、投射型映像表示装置全体のシステム制御を行うマイクロプロセッサー（以下、「マイコン」と省略する）である。６５は複数の色順次方式の投射型映像表示装置を組み合わせて使用する場合に、組み合わせられた投射型映像表示装置間で画像補正情報，制御（コマンド）情報や応答（レスポンス）情報等のやりとりを行う情報入出力端子である。
【００２５】
以上のように構成された色順次方式の投射型映像表示装置の動作について、以下述べる。なお、説明を容易とするため、便宜上、カラーブレイクアップ現象を低減するためのＲＧＢ表示サイクルは、入力映像信号のフィールド周波数ｆｖ=６０Ｈｚの２倍の１２０Ｈｚとする。つまり、上記した走査速度を２倍とする。しかし、これに限定されるものではなく、もっと高速度であってもよいことはいうまでもない。
【００２６】
映像信号入力端子６１から入力された映像信号は、ＲＧＢ/同期分離回路１１で同期信号とＲＧＢ信号とに分離され、ＲＧＢ信号は映像信号処理回路１４に、また同期信号はタイミング信号生成回路１２にそれぞれ入力される。
【００２７】
映像信号処理回路１４に入力されたＲＧＢ信号は、走査速度変換回路１３で、タイミング信号生成回路１２からの各種のタイミング信号（例えばピクセルクロックＰｃｌｋ，基準クロックＰｒ，サブクロックＰｒｄ等）に基づいて、走査速度（周波数）が２倍とされ、走査速度（周波数）が２倍に変換された各色の画像データは、マイコン１８からの制御による所定の色順次（例えばＲ→Ｇ→Ｂの順次）で時分割されて送出され、画像補正処理回路１５で所定の画像補正が施されて、液晶パネル駆動回路１６に加えられ、液晶パネル３６上に時分割で各色の光学像が形成される。
【００２８】
なお、画像補正処理回路１５で施された画像補正処理情報はマイコン１８に内蔵される図示しないメモリに格納される。
【００２９】
一方、ＬＥＤ光源駆動回路１７には、タイミング信号生成回路１２からフィールド周波数ｆｖ=６０Ｈｚの２倍のクロックである基準クロックＰｒや、基準クロックＰｒに同期した、その３倍の周波数を持つサブクロックＰｒｄが加えられ、ＬＥＤ光源駆動回路１７は、各ＬＥＤ３１Ｒ，３１Ｇ，３１Ｂが基準クロックＰｒや基準クロックＰｒに同期して、マイコン１８で制御された所定の色順次（例えばＲ→Ｇ→Ｂの順次）で時分割して発光するように駆動する。
【００３０】
従って、液晶パネル３６上に形成された各色の光学像に同期して、光源３１を構成するＲ，Ｇ，Ｂの各ＬＥＤのうち、光学像の色に対応したＬＥＤを発光させることができる。
【００３１】
即ち、マイコン１８は、走査速度変換回路１３で走査速度変換された各Ｒ，Ｇ，Ｂの映像信号が所定の色順次で時分割されて、液晶パネル駆動回路１６へ送出されるように、走査速度変換回路１３を制御するとともに、走査速度変換された各色の映像信号の送出に同期して、つまり、送出された色映像信号により光学像が形成される液晶パネル３６での光強度変調に同期して、光源３１を構成するところの、光の３原色のうちの各基本色をそれぞれ発光する各ＬＥＤ３１Ｒ，３１Ｇ，３１Ｂのうち、該色映像信号に対応した色のＬＥＤが発光するように、ＬＥＤ光源駆動回路１７を制御する。例えば、液晶パネル３６で赤色映像信号による光学像を形成する場合、これに同期して、赤色ＬＥＤが発光するようにＬＥＤ光源駆動回路１７を制御する。
【００３２】
以上述べた液晶パネルに形成された光学像と光源の発光のタイミングについて、図３を用いて説明する。図３は、投射画像２２の表示色と、基準クロックＰｒと、サブクロックＰｒｄとのタイミング関係を示すものである。ここで、表示単位であるＲＧＢ表示サイクル期間をＴとする。
【００３３】
図３において、元の映像信号の１フィールド期間（１／６０Ｈｚ）に表示単位であるＲＧＢ表示サイクルが２つ含まれ、走査速度（周波数）は２倍の１２０Ｈｚとされている。このＲＧＢ表示サイクル期間Ｔ（１／１２０Ｈｚ）は基準クロックＰｒに同期しており、更にＲＧＢ表示サイクル期間Ｔは基準クロックＰｒの３倍の周波数（３６０Ｈｚ）であるサブクロックＰｒｄに同期して、３つの区間（各区間の長さはＴ／３）に分割されている。そして、各ＲＧＢ表示サイクル期間Ｔ内において、基準クロックＰｒ，サブクロックＰｒｄに同期して、マイコン１８による制御に基づいて、所定の色順次（ここではＲ→Ｇ→Ｂの色順次）で、Ｒ光学像の形成とＲ発光→Ｇ光学像の形成とＧ発光→Ｂ光学像の形成とＢ発光が次々に行われている。
【００３４】
本発明は、以上のように構成された色順次方式の投射型映像表示装置を複数台用いて、同一スクリーン上に投射画像を重ね合わせ、明るい画像を得る場合、カラーブレイクアップ現象を低減するために、ＲＧＢ表示サイクル期間Ｔ内における上記した色順次、例えばＲ→Ｇ→Ｂの色順次を投射型映像表示装置毎に異なるようにすることに特徴がある。
【００３５】
まず、２台の色順次方式の投射型映像表示装置１０１と１０２を用いて、図４のように、同一スクリーン２上に投射画像２２１と２２２を重ね合わせた画像３を形成する場合における、色順次について、図５で説明する。
【００３６】
なお、図４において、４は映像信号源１からの映像信号を各投射型映像表示装置１０１，１０２の映像信号入力端子６１１，６１２に分配する分配器である。また、以下では、各投射型映像表示装置１０の構成要素をそれぞれ区別して説明する必要がある場合には、要素を示す符号の後に１，２，３…の数字の添字を付して示す。
【００３７】
図５は、２台の投射型映像表示装置を用いた場合におけるそれぞれの投射画像の色順次の一実施例を示すものである。図５において、２２１は第１の投射型映像表示装置１０１から投射される投射画像、２２２は第２の投射型映像表示装置１０２から投射される投射画像である。基準クロックＰｒ，サブクロックＰｒｄは入力映像信号の垂直同期信号に同期しているので、同一と見なせ、添え字を省略している。
【００３８】
図５から明らかなように、投射型映像表示装置１０１の投射画像２２１の色順次はＲＧＢ表示サイクル期間ＴでＲ→Ｇ→Ｂであるが、投射型映像表示装置１０２の投射画像２２２の色順次は、投射画像２２１に対してＴ／３だけ位相がずれた（進んだ）、つまりＲ→Ｇ→Ｂの循環（以下、単に「ＲＧＢ循環」と省略する）を順方向に１ステップ進ませ（シフトさせ）、Ｂから始めたＢ→Ｒ→Ｇとしている。従って、位相のずれがＴ／３であるので、投射画像２２１と投射画像２２２の各色の色切替えのタイミングは一致し、投射画像２２１と投射画像２２２の画像色光はＲＧＢ表示サイクル内の３分割された各分割表示区間で互いに異なっている。第１の投射型映像表示装置１０１がＲ光の投射画像を出力する時は、第２の投射型映像表示装置１０２はＢ光の投射画像を出力し、以下同様に、第１の投射型映像表示装置１０１がＧ光の投射画像を出力する時は、第２の投射型映像表示装置１０２はＲ光の投射画像を出力し、第１の投射型映像表示装置１０１がＢ光の投射画像を出力する時は、第２の投射型映像表示装置１０２はＧ光の投射画像を出力して、常にＲ，Ｇ，Ｂの内の２色の画像が同時に表示され、単色で表示されることはない。したがって、カラーブレイクアップ現象は発生するが、この時カラーブレイクアップ現象にて観察される色は、従来観察される単色ではなく、２色の混色された画像であるため、本来の色とカラーブレイクアップ現象にて表示される色の差が小さく、従来の場合よりも目立ちにくい。また、２台の投射型映像表示装置１０１，１０２の投射画像を重ね合わせている為、表示される画像３の輝度は、２台の投射型映像表示装置１０１，１０２の輝度の合計となり、１台のみを使用した場合の約２倍の輝度を得ることができる。
【００３９】
上記した色順次をＲ→Ｇ→ＢからＢ→Ｒ→Ｇに変更するために、本実施例では、操作キー１９に、マスター/スレーブ設定キー１９ａ、左方向キー１９ｂ、右方向キー１９ｃ、決定キー１９ｄ等を備えている。
【００４０】
マスター/スレーブ設定キー１９ａは、複数の色順次方式投射型映像表示装置を組み合わせて使用する場合、相互に関連して動作するように、相互動作を支配するマスター機器と支配されるスレーブ機器を設定するものである。マスター/スレーブ設定キー１９ａが操作されると、まず、組み合わせて使用しないモードを意味する「単独」が表示部（図示せず）にまたはスクリーンへの投射画像で表示される。ここで、右方向キー１９ｃを操作すると、操作する毎に「単独」→「マスター」→「スレーブ１」→「スレーブ２」→「スレーブ３」…と変化するので、右方向キー１９ｃと逆方向に変化する左方向キー１９ｂとを用いて所望のモードにした後、決定キー１９ｄでモードを決定する。
【００４１】
「マスター」と設定された場合は、マイコン１８は色順次を例えばＲ→Ｇ→Ｂと設定し、「スレーブ１」と設定された場合には、マイコン１８は色順次を例えばＢ→Ｒ→Ｇと設定する。即ち、マイコン１８は、映像信号処理装置１４の走査速度変換回路１３およびＬＥＤ光源駆動回路１７に対して、設定モードに応じた所定の色順次を指示する。
【００４２】
このようにして、図５に示すような色順次での時分割表示が可能となる。
【００４３】
また、上記したように、色順次を設定するには、ユーザの操作キー設定に基づいて、マイコンで映像信号処理回路とＬＥＤ光源駆動回路に所定の色順次を指示すればよく、大規模な回路変更は不要であり、大きなコストアップを招くことなく、カラーブレイクアップを低減することができる色順次方式の投射型映像表示装置を提供できる。
【００４４】
ところで、図４において、第１の投射型映像表示装置１０１がマスター、第２の投射型映像表示装置１０２がスレーブ１と設定された場合、投射画像２２１と投射画像２２２の画質が同一となるように、映像信号処理回路１４１での画像補正状態を第２の投射型映像表示装置１０２でも共有するのが好ましい。そこで、第１の投射型映像表示装置１０１の情報入出力端子６５１と第２の投射型映像表示装置１０２の情報入出力端子６５２を接続して、第１の投射型映像表示装置１０１のマイコン１８１内の図示しないメモリに格納されている画像補正情報を第２の投射型映像表示装置１０２に送り、そのマイコン１８２内の図示しないメモリに格納させ、画像補正情報を共有するようにする。
【００４５】
なお、第１の投射型映像表示装置１０１と第２の投射型映像表示装置１０２とが情報のやりとり（通信）を行う場合、スレーブ機器のＩＤアドレスを付して送信する。つまり、マスターである第１の投射型映像表示装置１０１がスレーブ１である第２の投射型映像表示装置１０２に情報を送信するときは、スレーブ１に対応したＩＤアドレスを付して情報を送り、また、スレーブ１である第２の投射型映像表示装置１０２がマスターである第１の投射型映像表示装置１０１に情報を送信するときも、スレーブ１に対応したＩＤアドレスを付して情報を送るようにするのはいうまでもない。
【００４６】
以上の説明では、マスターやスレーブの設定モードに従って、色順次をかえるようにした。しかし、スレーブ機器は、電源オン時と任意のキー操作時および所定時間間隔で、マスター機器に対して、例えば「オン」しているステータス情報を通信路を介して送信するようにすれば、マスター機器は、スレーブのＩＤアドレスからスレーブの接続台数を容易に検出することができるので、通信路を介して、マスター機器からスレーブ機器に対して色順次を指示するようにしてもよい。
【００４７】
また、マスター/スレーブ設定キーを用いず、操作する毎に、色順次がＲＧＢ→ＢＲＧ→ＧＢＲとサイクリックに変わる色順次設定キーを用いてもよいことはいうまでもない。
【実施例２】
【００４８】
上記第１の実施例は、組み合わせ台数を２台としたが、次に、組み合わせ台数を３台とした第２の実施例について述べる。なお、以下の図示では、図１〜図５に同一な機能を有する要素には同一符号を付して示し、その説明を省略する。
【００４９】
３台の色順次方式の投射型映像表示装置１０１，１０２，１０３を用いて、図６のように、同一スクリーン２上に投射画像２２１と２２２と２２３を重ね合わせた画像３を形成する場合における、色順次について、図７で説明する。なお、説明の都合上、投射型映像表示装置１０１をマスター、投射型映像表示装置１０２をスレーブ１、投射型映像表示装置１０３をスレーブ２とする。
【００５０】
図７は、３台の色順次方式の投射型映像表示装置を用いた場合におけるそれぞれの投射画像の色順次の一実施例を示すものである。
【００５１】
図７から明らかなように、マスターである投射型映像表示装置１０１の投射画像２２１の色順次はＲＧＢ表示サイクル期間ＴでＲ→Ｇ→Ｂであるが、スレーブ１である投射型映像表示装置１０２の投射画像２２２の色順次は、投射画像２２１に対してＴ／３だけ位相がずれた（進んだ）、つまりＲＧＢ循環を順方向に１ステップ進ませ（シフトさせ）、Ｂから始めたＢ→Ｒ→Ｇ、スレーブ２である投射型映像表示装置１０３の投射画像２２３の色順次は、投射画像２２１に対して２Ｔ／３だけ位相がずれた（進んだ）、つまりＲＧＢ循環を順方向に２ステップ進ませ（シフトさせ）、Ｇから始めたＧ→Ｂ→Ｒとしている。従って、投射画像２２１と投射画像２２２と投射画像２２３の各色の色切替えのタイミングは一致するとともに、投射画像２２１と投射画像２２２と投射画像２２３の画像色光はＲＧＢ表示サイクル内の３分割された各分割表示区間で互いに異なっている。そして、ＲＧＢ表示サイクル期間Ｔの３分割された各分割表示区間、例えば時刻ｔ１における区間では、第１の投射型映像表示装置１０１がＧ光の投射画像を出力し、第２の投射型映像表示装置１０２はＲ光の投射画像を出力し、第３の投射型映像表示装置１０３はＢ光の投射画像を出力する。つまり、本実施例では、常にＲ，Ｇ，Ｂの３色の投射画像が同時に表示される。このため、カラーブレイクアップ現象は発生しない。また、３台の投射型映像表示装置１０１，１０２，１０３の投射画像を重ね合わせている為、表示される画像３の輝度は、３台の投射型映像表示装置１０１，１０２，１０３の輝度の合計となり、１台のみを使用した場合の約３倍の輝度を得ることができる。
【実施例３】
【００５２】
次に、組み合わせ台数を４台とした第３の実施例について述べる。なお、以下の図示では、図１〜図５に同一な機能を有する要素には同一符号を付して示し、その説明を省略する。
【００５３】
４台の色順次方式の投射型映像表示装置１０１，１０２，１０３，１０４を用いて、図８のように、同一スクリーン２上に投射画像２２１と２２２と２２３と２２４を重ね合わせた画像３を形成する場合における、色順次について、図８で説明する。なお、説明の都合上、投射型映像表示装置１０１をマスター、投射型映像表示装置１０２をスレーブ１、投射型映像表示装置１０３をスレーブ２、投射型映像表示装置１０４をスレーブ３とする。
【００５４】
図９は、４台の色順次方式の投射型映像表示装置を用いた場合におけるそれぞれの投射画像の色順次の一実施例を示すものである。なお、図９において、サブクロックＰｒｄは省略している。
【００５５】
図９から明らかなように、マスターである投射型映像表示装置１０１の投射画像２２１の色順次はＲＧＢ表示サイクル期間ＴでＲ→Ｇ→Ｂであるが、スレーブ１である投射型映像表示装置１０２の投射画像２２２の色順次は、投射画像２２１に対してＴ／３だけ位相がずれたＢ→Ｒ→Ｇ、スレーブ２である投射型映像表示装置１０３の投射画像２２３の色順次は、投射画像２２１に対して２Ｔ／３だけ位相がずれたＧ→Ｂ→Ｒとしている。ここまでは第２の実施例に同じである。スレーブ３である投射型映像表示装置１０４の投射画像２２４の色順次は、投射画像２２１に対して３Ｔ／３だけ位相がずれた（進んだ）、つまりＲＧＢ循環を順方向に３ステップ進ませ（シフトさせ）て、一巡して元に戻ったＲ→Ｇ→Ｂである。
【００５６】
従って、本実施例では、投射画像２２１と投射画像２２２と投射画像２２３とで常にＲ，Ｇ，Ｂの３色の投射画像が同時に表示されるとともに、投射画像２２４の色光のみが他と異なる。このため、カラーブレイクアップ現象が僅かに観察され得るが、従来に比べて大幅に低減することができる。
【００５７】
また、４台の投射型映像表示装置１０１，１０２，１０３，１０４の投射画像を重ね合わせている為、表示される画像３の輝度は、４台の投射型映像表示装置１０１，１０２，１０３，１０４の輝度の合計となり、１台のみを使用した場合の約４倍の輝度を得ることができる。
【００５８】
以下、同様にして、５台・・・ｎ台と投射型映像表示装置の数を多くしたシステムも可能である。
【００５９】
このとき、第５の投射型映像表示装置１０５の投射画像２２５の色順次は、マスターの投射画像２２１の色順次に対してＲＧＢ循環を（５−１）ステップ進ませ（シフトさせ）た、つまり第４の投射型映像表示装置の投射画像２２４の色順次に対してＲＧＢの循環を１ステップ進ませ（シフトさせ）たものとし、以下同様に、第ｎの投射型映像表示装置１０ｉの投射画像２２ｉの色順次は、第（ｉ−１）の投射型映像表示装置の投射画像２２ｉ−１の色順次に対してＲＧＢの循環を１ステップ進ませ（シフトさせ）たものとする。
【００６０】
このようなアルゴリズムとすることにより、第ｉの投射型映像表示装置１０ｉと第（ｉ＋３）の投射型映像表示装置１０ｉ＋３は同じ色順次となる。
【００６１】
したがって、４台以上の投射型映像表示装置を用いたシステムの場合は、常にＲＧＢの３色が表示される為、カラーブレイクアップ現象は僅かに観察される程度であり、従来に比べて大幅に低減することができる。また、ｎ台の投射型映像表示装置を用いたシステムでは、１台のみを使用した場合の約ｎ倍の輝度を得ることができる。
【実施例４】
【００６２】
以上述べた実施例では、ＲＧＢ表示サイクル期間Ｔを３分割した各Ｒ，Ｇ，Ｂの分割表示区間の時間長はそれぞれ同じＴ／３であるとしたが、各分割表示区間の時間長が異なる投射型映像表示装置を複数組み合わせるシステムの場合であっても、本発明は適用可能である。
【００６３】
この場合の代表実施例として、３台の色順次方式の投射型映像表示装置１０１，１０２，１０３を用い第４の実施例について、図１０を用いて説明する。本実施例では、３台の投射型映像表示装置１０１，１０２，１０３を用いて、図６のように、同一スクリーン２上に投射画像２２１と２２２と２２３を重ね合わせた画像３を形成する場合における、色順次について、図１０で説明する。なお、説明の都合上、投射型映像表示装置１０１をマスター、投射型映像表示装置１０２をスレーブ１、投射型映像表示装置１０３をスレーブ２とする。
【００６４】
図１０は、３台の色順次方式投射型映像表示装置を用いた場合における各投射画像の色順次の一実施例を示すものである。図１０に示すように、ＲＧＢ表示サイクル期間Ｔ内の３分割された各Ｒ，Ｇ，Ｂの分割表示区間の時間長は、それぞれ異なっている。人間の視感度はＲ，Ｇ，Ｂ光に対して、Ｇ光を一番明るく感じ、次にＢ光、Ｒ光の順序となっている。そこで、明るさを等しくするために、Ｇの分割表示区間を最も短く、Ｂ，Ｒの順序で分割表示区間の長さを長くしている。但し、ＲＧＢの循環は図７と同じである。
【００６５】
マスターである投射型映像表示装置１０１の投射画像２２１の色順次は、ＲＧＢ表示サイクル期間Ｔで、基準クロックＰｒに同期して、まずＲが表示され、次にＧが表示され、最後にＢが表示される。スレーブ１である投射型映像表示装置１０２の投射画像２２２の色順次は、各Ｒ，Ｇ，Ｂの分割表示区間の時間長を変えずに、ＲＧＢ表示サイクル期間Ｔ内のＲＧＢ循環を１ステップ進ませ、基準クロックＰｒに同期して、先ずＢが表示され、次にＲが表示され、最後にＧが表示される。スレーブ２である投射型映像表示装置１０３の投射画像２２３の色順次は、同様に、各Ｒ，Ｇ，Ｂの分割表示区間の時間長を変えずに、ＲＧＢ表示サイクル期間Ｔ内のＲＧＢ循環を２ステップ進ませ、基準クロックＰｒに同期して、先ずＧが表示され、次にＢが表示され、最後にＲが表示される。
【００６６】
従って、例えば、時刻ｔ２では、Ｒ，Ｇ，Ｂの３色の投射画像が同時に表示されるが、時刻ｔ１では、ＲとＧの２色の投射画像が表示される。
【００６７】
これにともない、常にＲ，Ｇ，Ｂの３色の投射画像が同時に表示されないので、場合によって、カラーブレイクアップ現象が僅かに観察される場合があるが、従来に比べてカラーブレイクアップ現象を大幅に低減することできる。また、輝度は１台のみを使用した場合の約３倍の輝度を得ることができる。
【００６８】
本実施例では、３台の投射型映像表示装置を組み合わせた場合について述べたが、２台や４台以上であっても、同様に、カラーブレイクアップ現象を低減することができることはいうまでもない。
【００６９】
例えば、２台の投射型映像表示装置を組み合わせた場合、そのときの色順次は、図１０の投射画像２２１と２２２の色順次で示される。各色の分割表示区間の時間長が異なるので、ＲＧＢ表示サイクル期間Ｔ内の大部分では異なる２色で同時表示されるが、分割表示区間の境界近傍では単色で表示されることになる。例えば、時刻ｔ１では、Ｒ，Ｇの２色の投射画像が同時に表示されるが、時刻ｔ３では、Ｒのみの投射画像が表示される。これにともない、カラーブレイクアップ現象が観察される場合があるが、この場合であっても、従来に比べてカラーブレイクアップ現象を低減することできる。
【００７０】
以上述べた第１の実施例〜第４の実施例では、基本色の光束を所定の色順次で時分割して発生させる時分割色光発生手段として、Ｒ光とＧ光とＢ光を所定の色順次で時分割発光させるカラー光源（ＬＥＤ光源）を用いたが、これに限定されるものではなく、例えば、光源からの白色光のうちのＲ，Ｇ，Ｂの光をそれぞれ透過する複数のフィルタを有する円盤が回転する回転カラーフィルタを用いてもよい。
【００７１】
また、実施例１乃至４では、各投射型映像表示装置の色順次はＲＧＢ循環を順方向に進ませ（シフトさせ）るものとしたが、これに限定されるものではなく、ＲＧＢ循環を逆方向にシフトさせるようにしてもよいことはいうまでもない。
【００７２】
また、実施例１乃至４では、走査速度を２倍としたが、本発明によれば、カラーブレイクアップ現象を低減させることができるので、走査速度を例えば標準走査速度に低減させることも可能となる。この場合、特に、時分割色光発生手段として回転カラーフィルタを用いた場合、回転カラーフィルタの回転速度を低減できるので、回転カラーフィルタで生じる風切り音などの騒音を低減することができる。
【実施例５】
【００７３】
３台の色順次方式の投射型映像表示装置を用いて、図６のように、同一スクリーン上に異なる基本色の投射画像を重ね合わせる第２の実施例では、走査速度を２倍としたが、常にＲ，Ｇ，Ｂの３色の投射画像が同時に表示されるので、カラーブレイクアップ現象は発生せず、走査速度を標準走査速度とすることが可能となる。
【００７４】
図１１は、各投射型映像表示装置における投射画像の色順次の第５の一実施例を示す図で、１フィールドを３つのサブフィールドに分割した場合の色順次を示すものである。なお、Ｐｒｆは標準走査速度における基準クロック（周波数６０Ｈｚ）で、Ｐｒｄｆはそのサブクロック（周波数１８０Ｈｚ）である。
【００７５】
図１１では、１フィールド期間Ｔｆは３つのサブフィールドに分割されており、サブフィールド期間単位で、各投射画像２２の基本色が互いに異なっている。
【００７６】
ところで、上記では、各投射型映像表示装置で投射画像の色がＲ→Ｇ→Ｂの循環を描くようにしたが、投射画像２２１はＲ，投射画像２２２はＧ，投射画像２２３はＢと固定してもよい。しかし、液晶パネルには通常僅かの画素欠陥がある。各投射画像の色を固定すると、例えば投射画像２２１に画素欠陥があり、その画素欠陥が照射光を透過または反射しない場合、その欠陥画素ではＲ色が常にないので、表示色が不自然となり、目立つ。もし、Ｒ→Ｇ→Ｂの循環を描くようにしておけば、不足色光が固定されないので、画素欠陥を目立たなくすることができる。
【実施例６】
【００７７】
以上述べた実施例１乃至５では、色順次方式投射型映像表示装置毎に同一映像信号に基づいて、時間方向に３分割された色順次の異なるＲ，Ｇ，Ｂ色の投射画像を重ね合わせて１つの画像を形成していたが、マスターから各スレーブ機器に対して基本色の異なる色映像信号を供給して、同時にＲ，Ｇ，Ｂ色の投射画像を重ね合わせて１つの画像を形成する第６の実施例について、図１１に示す色順次で同一スクリーン上に投射画像を投射し、重ね合わせて画像とする３台の色順次方式投射型映像表示装置を用いたシステムで，図１１，図１２，図１３を参照しながら述べる。なお、以下の図示では、図１〜図５，図１１に同一な機能を有する要素には同一符号を付して示し、その説明を省略する。また、走査速度は標準速度とし、マスター（１００１）の投射画像を２２１，スレーブ１（１００２）の投射画像を２２２，スレーブ２（１００３）の投射画像を２２３とする。
【００７８】
図１２は、第６の実施例を示す色順次方式投射型映像表示装置の概略構成図で、図１３は、図１２に示す色順次方式投射型映像表示装置を３台用いたシステム構成図である。
【００７９】
図１２において、本実施例の色順次方式投射型映像表示装置１００は、図１に示すものと異なり、映像信号処理回路１４０は、走査速度変換回路１３からの各色の映像信号を外部に出力するか、内部の画像補正処理回路１５側へ導くかを切り替えるスイッチ４０と、外部から入力された色映像信号と内部の色映像信号とを切り替えるスイッチ４１を含む。４２は内部の同期信号か外部の同期信号かを切り替えるスッチである。
【００８０】
スイッチ４２は色順次方式投射型映像表示装置がマスターの場合は、マイコン１８０により内部側のＶ，Ｈ同期信号が選択され、スレーブの場合は、入力コネクタ７１の入力端子７１ｃ，７１ｄから入力されるＶ，Ｈ同期信号が選択される。なお、ＲＧＢ/同期信号分離回路１１からのＶ，Ｈ同期信号はスイッチ４２の内部側端子に接続されるとともに、出力コネクタ７０の出力端子７０ｃ，７０ｄにそれぞれ接続される。
【００８１】
スイッチ４０は、各色映像信号をそれぞれ切り替えるスイッチ４０Ｒ，４０Ｇ，４０Ｂからなり、マスターの場合、タイミング信号生成回路１２からのタイミング信号例えばサブクロックＰｒｄｆ（１８０Ｈｚ）に同期して、マイコン１８０からの制御の基で、スイッチ４０Ｒ，４０Ｇ，４０Ｂの一つが内部（ｍ：マスター）側に、他の２つが外部（ａ：スレーブ１、ｂ：スレーブ２）側に切り替わる。例えば、色順次が図１１の投射画像２２１で示すＲ→Ｇ→Ｂのループを循環する場合、Ｒを表示する場合は、スイッチ４０Ｒはｍ側、スイッチ４０Ｇはスレーブ２のｂ側，４０Ｂはスレーブ１のａ側となり、ＧとＢの色映像信号は出力コネクタ７０のスレーブ１の出力端子７０ａとスレーブ２の出力端子７０ｂへそれぞれ導かれる。以下同様に、色順次に応じて、マスターでその時に表示される色以外の色映像信号が出力コネクタ７０の出力端子７０ａと出力端子７０ｂへ導かれる。なお、走査速度変換回路１３からは各色映像信号が同時にスイッチ４０へ出力される。これは、図示しない各Ｒ，Ｇ，Ｂ用の画像メモリから同時に読み出すことにより実現できる。３板方式では通常行われる処理である。
【００８２】
スイッチ４１は、マイコン１８０の制御により、マスターの場合は内部色映像信号（ｍ：マスター）側を選択し、スレーブの場合は入力コネクタ７１のスレーブ１の入力端子７０ａまたはスレーブ２の入力端子７０ｂから入力される色映像信号を選択する。
【００８３】
出力コネクタ７０は、スレーブ１とスレーブ２の色映像信号をそれぞれ出力する出力端子７０ａ，７０ｂと、Ｖ，Ｈ同期信号の出力端子７０ｃ，７０ｄとからなり、また、入力コネクタ７１は、外部から入力されるスレーブ１，スレーブ２の色映像信号の入力端子７１ａ，７１ｂと、外部から入力されるＶ，Ｈ同期信号の入力端子７１ｃ，７１ｄとからなる。
【００８４】
マイコン１８０は、操作キー１９または図示しないリモートコントロールユニットによるユーザ操作に基づいて、内蔵するプログラム（図示せず）に従って、投射型映像表示装置全体のシステム制御を行うものである。マスターの場合は、スイッチ４２を制御して、ＲＧＢ/同期信号分離回路１１からの同期信号がタイミング信号生成回路１２に入力されるようにする。そして、走査速度変換回路１３を制御して各色映像信号が同時にスイッチ４０へ出力されるようにするとともに、スイッチ４０を制御して、マスター機器がその時に表示する所定の色順次の色映像信号がｍ側に接続されるように、またそうでない他の２つの色映像信号が図１１で示す色順次でスレーブ１，スレーブ２の出力端子７０ａ，７０ｂに導かれるようにする。また、スイッチ４１がｍ側を選択するように制御する。従って、マスターの場合、その時に表示する所定の色順次の色映像信号は液晶パネル駆動回路１６に導かれる。また、スレーブ機器のマイコンに対して、マスターのマイコンは、情報入出力端子６５を介して、そのスレーブ機器の色順次（例えばマスターがＲ→Ｇ→Ｂの場合、スレーブ１はＢ→Ｒ→Ｇ、スレーブ２はＧ→Ｂ→Ｒ）情報を送信する。
【００８５】
色順次方式投射型映像表示装置がスレーブの場合、マイコン１８０はスレーブ１かスレーブ２かに応じて、スイッチ４１がスレーブ１またはスレーブ２に対応した端子ａまたはｂ側のいずれかを選択するように制御する。また、スイッチ４２が入力コネクタ７１の入力端子７１ｃ，７１ｄから入力された同期信号Ｖ，Ｈを選択するように制御する。また、情報入出力端子６５を介してマスターからの色順次情報に基づいて、マスターから入力された色映像信号に対応した色で光源３１が発光するように、ＬＥＤ光源駆動回路１７を制御する。
【００８６】
以上のように構成された３台の色順次方式投射型映像表示装置を図１３のように接続した場合、映像信号源１からマスターである色順次方式投射型映像表示装置１００１に入力された映像信号は、マスターのマイコン１８０１により、スイッチ４０とスイッチ４１がｍ側を選択するように制御され、液晶駆動回路１６１に導かれて、図１１に示す色順次でスクリーン２に投射画像２２１が投射される。また、この時、マイコン１８０１は、出力コネクタ７０１の出力端子７０ａ１，７０ｂ１に、図１１に示す各スレーブ機器に対応した色順次の色映像信号が出力されるように、スイッチ４０を制御するとともに、各スレーブ機器にその機器の色順次を情報入出力端子６５１を介して送付する。なお、映像信号入力端子６１から入力された映像信号からＲＧＢ/同期信号分離回路１１で分離された同期信号Ｖ，Ｈは、マイコン１８０の制御によりスイッチ４２が内部側に切り替えられ、タイミング信号生成回路１２に導かれ、種々のタイミング信号が生成される。
【００８７】
マスターである色順次方式投射型映像表示装置１００１の出力コネクタ７０１の出力端子７０ａ１から出力されたスレーブ１用の色映像信号は、スレーブ１である色順次方式投射型映像表示装置１００２の入力コネクタ７１２の入力端子７１ａ２に入力される。スレーブ１のマイコン１８０２は、スイッチ４１２が端子ａを選択するように制御するので、入力端子７１ａ２に入力された色映像信号は液晶パネル駆動回路１６２に導かれ、液晶パネル３６２が駆動されて、投射画像２２２がスクリーン２に投射される。また、色順次方式投射型映像表示装置１００１の出力コネクタ７０１の出力端子７０ｃ１，７０ｄ１から出力されたスレーブ用の同期信号Ｖ，Ｈは、入力コネクタ７１２の入力端子７１ｃ２，７１ｄ２に入力される。マイコン１８０２はスイッチ４２２が外部同期信号側を選択するように制御するので、同期信号Ｖ，Ｈはタイミング信号生成回路１２２に入力され、タイミング信号生成回路１２２で生成された各種のタイミング信号は各回路に供給される。また、情報入出力端子６５２を介しての色順次（図１１ではＢ→Ｒ→Ｇ）指示に従って、マスターから入力された色映像信号に対応した色で光源３１２が発光するように、ＬＥＤ光源駆動回路１７２を制御する。
【００８８】
また、同様に、マスターである色順次方式投射型映像表示装置１００１の出力端子７０ｂ１から出力されたスレーブ２用の色映像信号は、スレーブ２である色順次方式投射型映像表示装置１００３の入力コネクタ７１３の入力端子７１ｂ３に入力される。スレーブ２のマイコン１８０３は、スイッチ４１３が端子ｂを選択するように制御するので、入力端子７１ｂ３に入力された色映像信号は液晶パネル駆動回路１６３に導かれ、液晶パネル３６３が駆動されて、投射画像２２３がスクリーン２に投射される。一方、色順次方式投射型映像表示装置１００１の出力コネクタ７０１の出力端子７０ｃ１，７０ｄ１から出力されたスレーブ用の同期信号Ｖ，Ｈは、入力コネクタ７１３の入力端子７１ｃ３，７１ｄ３に入力される。マイコン１８０３はスイッチ４２３が外部同期信号側を選択するように制御するので、同期信号Ｖ，Ｈはタイミング信号生成回路１２３に入力され、タイミング信号生成回路１２３で生成された各種のタイミング信号は各回路に供給される。また、情報入出力端子６５３を介しての色順次（図１１ではＧ→Ｂ→Ｒ）指示に従って、マスターから入力された色映像信号に対応した色で光源３１３が発光するように、ＬＥＤ光源駆動回路１７３を制御する。
【００８９】
以上述べたように、各色順次方式投射型映像表示装置が動作して、１フィールド期間Ｔｆが３分割された各分割表示区間毎にスクリーン２に投射画像２２１，２２２，２２３が同時に重ね合わせられ、各カラーの画像３が形成される。
【００９０】
なお、本実施例では、１フィルド期間を３分割した各サブフィールド毎に各カラー画像が形成されるが、例えば、フィールド（あるいはフレーム）毎にカラー画像を形成するようにしてもよいことはいうまでもない。
【図面の簡単な説明】
【００９１】
【図１】第１の実施例を示す色順次方式投射型映像表示装置の概略構成図である。
【図２】光源の構成図である。
【図３】投射画像２２の表示色と基準信号Ｖｒｅｆ５とのタイミング関係を示す図である。
【図４】色順次方式投射型映像表示装置を２台用いたシステム構成図である。
【図５】各色順次方式投射型映像表示装置における投射画像の色順次の一実施例を示す図である。
【図６】色順次方式投射型映像表示装置を３台用いたシステム構成図である。
【図７】各色順次方式投射型映像表示装置における投射画像の色順次の第２の一実施例を示す図である。
【図８】色順次方式投射型映像表示装置を４台用いたシステム構成図である。
【図９】各色順次方式投射型映像表示装置における投射画像の色順次の第３の一実施例を示す図である。
【図１０】各色順次方式投射型映像表示装置における投射画像の色順次の第４の一実施例を示す図である。
【図１１】各色順次方式投射型映像表示装置における投射画像の色順次の第５の一実施例を示す図である。
【図１２】第６の実施例を示す色順次方式投射型映像表示装置の概略構成図である。
【図１３】図１２に示す色順次方式投射型映像表示装置を３台用いたシステム構成図である。
【図１４】カラーブレイクアップ現象を低減する従来技術を説明する図である。
【符号の説明】
【００９２】
１・・・映像信号源、２・・・スクリーン、３・・・画像、５・・・基準信号、１０・・・投射型映像表示装置、１１・・・ＲＧＢ/同期信号分離回路、１２・・・タイミング信号生成回路、１３・・・走査速度変換回路、１４・・・映像信号処理回路、１５・・・画像補正処理回路、１６・・・液晶パネル駆動回路、１７・・・ＬＥＤ光源駆動回路、１８・・・マイコン、１９・・・操作キー、１９ａ・・・マスター/スレーブ設定キー、１９ｂ・・・左方向キー、１９ｃ・・・右方向キー、１９ｄ・・・決定キー、２２・・・投射画像、３０・・・光学ユニット、３１・・・光源、３６・・・液晶パネル、３８・・・投射レンズ、４０・・・スイッチ、４１・・・スイッチ、４２・・・スイッチ、６１・・・映像信号入力端子、６５・・・情報入出力端子、７０・・・出力コネクタ、７１・・・入力コネクタ、１４０・・・映像信号処理回路、１８０・・・マイコン。
【図１】
2006114948.tif 000003
【図２】
2006114948.tif 000004
【図３】
2006114948.tif 000005
【図４】
2006114948.tif 000006
【図５】
2006114948.tif 000007
【図６】
2006114948.tif 000008
【図７】
2006114948.tif 000009
【図８】
2006114948.tif 000010
【図９】
2006114948.tif 000011
【図１０】
2006114948.tif 000012
【図１１】
2006114948.tif 000013
【図１２】
2006114948.tif 000014
【図１３】
2006114948.tif 000015
【図１４】
2006114948.tif 000016